(57)【要約】【課題】手帳やノート、バインダー等のうち、とじ具にリングを使用して用紙をとじこむものにつき、従来よりも容易に中の用紙を追加したり、外したり、前後に移動することができるものを使用したい。 【解決手段】手帳やノート、バインダー等のとじ具のリングにとじ込んであるルーズリーフ等の用紙をリングから見て外側方向に引っ張ることにより、それに連動してとじ込み部分のリングの一部が開き、用紙を着脱できる手段により解決する。【選択図】図５
2020116933.tif 000002
【特許請求の範囲】
【請求項１】
手帳やノート、バインダーにおいて、ルーズリーフバインダーのように用紙をリング形状のとじ具にてとじているものにつき、とじ具（リング）にとじている用紙を持ち、とじ具（リング）の外側に引っ張るという動作を行うことで、用紙のとじ孔がとじ具（リング）の内側を押し、とじ具（リング）の中に入っているばねが動作する等の様々な手段により、とじ具（リング）の一部が開き用紙の着脱が可能となることを特徴とする手帳やノート、バインダー
【発明の詳細な説明】
【技術分野】
【０００１】
本願発明は、手帳やノート、バインダー等のうち、ルーズリーフバインダーのようにとじ具にリングを使用して用紙をとじこむものにつき、できるだけ容易に中の用紙を追加したり、外したり、前後に移動することができて、用紙のとじ込み部分が丈夫で不意に用紙が外れてしまうことが無く、その構造が簡単で経済的な手帳やノート、バインダーに関するものである。
【背景技術】
【０００２】
従来、手帳やノート、バインダー等は、ルーズリーフバインダー等のとじ具としてリングを使用するものも多く使われている。これはとじ込み部分にあるとじ具（リング）によって用紙をとじているものであって、リングが開閉する機能を持つ。これを開け閉めすることにより用紙を追加したり、外したり、前後に移動することが容易であった。
また、ルーズリーフバインダーやリングファイル（ツインリングを含む）等に簡便に着脱することができる丈夫なファイル用紙として特許文献１がある。ファイル用紙のとじ孔部分に、とじ孔の周縁部から紙端に亘るように補強片を設け、この補強片を有するとじ孔部分にとじ孔から紙端に至るスリットを設けてファイル用紙のバインダーとじ具への着脱を容易にし、かつとじ孔部分のへたりや損傷等を防止するようにしたものであり、これによれば、とじ具（リング）に開閉する機能がなくとも用紙を着脱できる。
【先行技術文献】
【特許文献】
【０００３】
【特許文献１】特開2005-1169号公報
【発明の概要】
【発明が解決しようとする課題】
【０００４】
従来、ルーズリーフバインダー等のとじ具に開閉可能なリングを使用しているノート、手帳、バインダー等では、用紙を移動するためには一旦手帳やノート、バインダー等のとじ込み部分にあるとじ具（リング）の開閉機能を使用して開け、該当の用紙を取り出し、再びとじ具（リング）の開閉機能を使用して閉め、差し込みたいページを開いてからとじ具（リング）の開閉機能を使用して開け、再度その用紙を挟み、とじ具（リング）の開閉機能を使用して閉める必要がある。この一連の手順では、手を用紙から離しとじ具（リング）まで持っていき、開閉機能を使って開閉するという部分において手間が掛かるという課題がある。また、特許文献１では、用紙のとじ孔部分に補強片を設ける必要があり、用紙自体の製造原価が上がってしまうという課題があった。
【課題を解決するための手段】
【０００５】
本願発明の手帳やノート、バインダーを使用すると、既にとじ具（リング）内にとじている用紙を外側に引っ張ることにより、リングの一部が開き用紙の着脱が可能となるので、とじ具（リング）を開け閉めするために手をとじ具（リング）まで動かし、開閉機能を使用する必要がない。用紙着脱に際して従来に比べて手間が減少するため、前記の課題が解決できる。また本願発明では市販のルーズリーフ用紙を使用することができるので、特許文献１のように特別な用紙の製造が不必要で製造原価が上がることがない。
【図面の簡単な説明】
【０００６】
【図１】２リングタイプバインダーの例および、リングと基板を横から見た図
【図２】実施例１のリングと基板の構成部品を横から見た図と断面図
【図３】実施例１のリングと基板の組み立て後を横から見た図と断面図
【図４】実施例１のリングと基板の使用例を横から見た図と断面図１
【図５】実施例１のリングと基板の使用例を横から見た図と断面図２
【図６】実施例２のリングと基板の構成部品を横から見た図と断面図
【図７】実施例２のリングと基板の組み立て後を横から見た図と断面図
【図８】実施例２のリングと基板の使用例を横から見た図と断面図１
【図９】実施例２のリングと基板の使用例を横から見た図と断面図２
【図１０】実施例３のリングと基板の構成部品の図
【図１１】実施例３のリング部品２とリング部品３のはめ込み部分の断面図
【図１２】実施例３のリングと基板の組み立て後の図
【図１３】実施例３のリングと基板の使用例の図１
【図１４】実施例３のリングと基板の使用例の図２
【図１５】実施例４のリングと基板の構成部品の図およびリング部品１とリング部品２を上から見た図
【図１６】実施例４のリング部品２とリング部品３のはめ込み部分の断面図
【図１７】リング部品２に設けられた「用紙とじ孔引っ張り操作部分」の断面図およびリング部品２を「用紙とじ孔引っ張り操作部分」を中心として上から見た断面図
【図１８】実施例４のリングと基板の組み立て後の図
【図１９】実施例４のリングと基板の使用例の横から見た図およびリング部品１とリング部品２を「用紙とじ孔引っ張り操作部分」を中心として上から見た断面図１
【図２０】実施例４のリングと基板の使用例の横から見た図およびリング部品１とリング部品２を「用紙とじ孔引っ張り操作部分」を中心として上から見た断面図２
【発明を実施するための形態】
【０００７】
本願発明は手帳やノート、バインダー等のリング（５）を使用して用紙（１４）をとじこむものにつき、用紙（１４）を外側方向に引っ張ることによりリング（５）の一部が開閉され用紙（１４）の着脱を可能にすることを特徴とする。実施例として用いるバインダー（１）は図１に示す通りであり、２リングタイプのものを例として使用するが、リング数が増えてもリング（５）の内部構造や可動方法は同じである。実施例の構成は図１に示すように２リングバインダー（１）として、背表紙（２）、基板（３）ハトメ（４）リング（５）から成る。リング（５）は基板（３）に接着されており、基板（３）はハトメ（４）により背表紙（２）に装着されている。どのような方法でも、リング（５）にとじている用紙（１４）を持ち、リング（５）の外側に引っ張り、リング（５）の内側を押すことにより、リング（５）の中に入っているばねが動作する等の様々な手段により、リング（５）の一部が開き用紙（１４）の着脱が可能となることを特徴とし、手段はどのような手段でも良い。リング（５）の一部を開閉するための仕掛けはリング（５）だけでなく、基板（３）、背表紙（２）にあっても良い。
【実施例１】
【０００８】
実施例１の手帳やノート、バインダーの基板（３）、リング（５）の構造について説明する。図２のとおり、構成部品の図で説明する。基板（３）およびリング部品１（７）、リング部品２（８）、ばね部品（９）から成る。リング部品１（７）、リング部品２（８）の内部は断面図のとおり中空となっている。そして、リング部品２（８）には、内側のカーブの途中に切り欠き（１０）が入っている。ばね部品（９）はリングのカーブに合わせた形であり、その先には栓（１１）が装着されている。この栓（１１）が２つのリングをとじたり開いたりする役割を果たす。基板（３）およびリング部品１（７）、リング部品２（８）の材質については、用紙（１４）全体の重さや引っ張りに耐えられるような強度がなければならない。硬くて壊れにくく、十分な強度のある金属や樹脂、合成樹脂、プラスチック等の丈夫な材料が好ましい。またばね部品（９）については、用紙（１４）に引っ張られて曲がるほどの、ある程度の柔軟性を持ち、かつ元の形に戻る復元力がなければならない。薄い金属の板ばねや、柔軟性のある合成樹脂等が好ましい。
【０００９】
組み立ては図３のとおり、リング部品２（８）の中にばね部品（９）を挿入し、接着部分（１２）にてリング部品２（８）とばね部品（９）を接着する。リング部品１（７）およびリング部品２（８）を基板（３）のリング基板接着部分（１３）に接着する。接着方法については、接着部分の強度を確保するため、ロウ付け、溶接等の接合部分に強度のある方法が好ましい。
【００１０】
使用方法は、図４のように既にリングの中にとじている用紙（１４）を何枚か持ち上げ、リング部品２（８）の切り欠き（１０）部分でリングの外側方向に引っ張る。この方向に引っ張ることで、図５のように用紙（１４）のとじ孔部分がリングのばね部品（９）をリング外側に寄せる。ばね部品（９）が栓（１１）をリング内側に引っ張り込み、リングの用紙着脱口（１５）が開く。ここから他の用紙（１４）の着脱が可能となる。他の用紙（１４）の着脱を終えたら引っ張っている用紙（１４）を元にもどすことにより、ばね部品（９）の復元力で栓（１１）が元の位置に戻り、用紙着脱口（１５）が閉まり、リングにて用紙（１４）を保持できる状態に戻る。なお、リング部品１（７）、リング部品２（８）の中に用紙（１４）が一枚もとじられていない状態で、用紙（１４）をリング部品１（７）、リング部品２（８）の中にとじる場合および、リング部品１（７）、リング部品２（８）の中にとじている用紙（１４）を全て取り出す場合、栓（１１）を手で動かして用紙着脱口（１５）を開け、用紙（１４）を着脱する。
【実施例２】
【００１１】
実施例２の手帳やノート、バインダーの基板（３）、リング（５）の構造について説明する。図６のとおり、構成部品の図で説明する。基板（３）およびリング部品１（１６）、リング部品２（１７）、ばね部品（１８）から成る。リング部品１（１６）、リング部品２（１７）の内部は断面図のとおり中空となっている。そして、リング部品２（１７）には、内側のカーブの途中に切り欠き（１９）が入っている。ばね部品（１８）はリングのカーブに合わせた形であり、その先には栓（２０）が装着されている。この栓（２０）が２つのリングをとじたり開いたりする役割を果たす。また、ばね部品（１８）の内側には用紙保持切込み（２１）が入っている。これは用紙（１４）を保持するための切り込みである。基板（３）およびリング部品１（１６）、リング部品２（１７）の材質については、用紙（１４）全体の重さや引っ張りに耐えられるような強度がなければならない。硬くて壊れにくく、十分な強度のある金属や樹脂、合成樹脂、プラスチック等の丈夫な材料が好ましい。またばね部品（１８）については、用紙（１４）に引っ張られて曲がるほどの、ある程度の柔軟性を持ち、かつ元の形に戻る復元力がなければならない。薄い金属の板ばねや、柔軟性のある合成樹脂等が好ましい。
【００１２】
組み立ては図７のとおり、リング部品２（１７）の中にばね部品（１８）を挿入し、接着部分（２２）にてリング部品２（１７）とばね部品（１８）を接着する。リング部品１（１６）およびリング部品２（１７）およびリング部品２（１７）に接着したばね部品（１８）の下側の端の部分を基板（３）のリング基板接着部分（２３）に接着する。接着方法については、接着部分の強度を確保するため、ロウ付け、溶接等の接合部分に強度のある方法が好ましい。
【００１３】
使用方法は、図８のように既にリングの中にとじている用紙（１４）を何枚か持ち上げ、リング部品２（１７）の切り欠き（１９）部分でリングの外側方向に引っ張る。そして用紙（１４）のとじ孔をばね部品（１８）の用紙保持切込み（２１）に差し込む。その後、図９のように用紙（１４）を外側へ引っ張る力を保持したまま、下方向にさらに引っ張る。この方向に引っ張ることで、ばね部品（１８）が栓（２０）をリング内側に引っ張り込み、リングの用紙着脱口（２４）が開く。ここから他の用紙（１４）の着脱が可能となる。他の用紙（１４）の着脱を終えたら引っ張っている用紙（１４）を元にもどすことにより、ばね部品（１８）の復元力で栓（２０）が元の位置に戻り、用紙着脱口（２４）が閉まり、リングにて用紙（１４）を保持できる状態に戻る。なお、リング部品１（１６）、リング部品２（１７）の中に用紙（１４）が一枚もとじられていない状態で、用紙（１４）をリング部品１（１６）、リング部品２（１７）の中にとじる場合および、リング部品１（１６）、リング部品２（１７）の中にとじている用紙（１４）を全て取り出す場合、栓（２０）を手で動かして用紙着脱口（２４）を開け、用紙（１４）を着脱する。
【実施例３】
【００１４】
実施例３の手帳やノート、バインダーの基板（３）、リング（５）の構造について説明する。図１０のとおり、構成部品の図で説明する。基板（３）およびリング部品１（２５）、リング部品２（２６）、リング部品３（２７）、板ばね部品（２８）から成る。リング部品１（２５）、リング部品２（２６）、リング部品３（２７）は実施例１、実施例２とは異なり、中空ではない。リング部品２（２６）およびリング部品３（２７）には板ばね部品（２８）をはめ込むための穴、板ばね部品挿入穴（２９）（３０）がそれぞれ設けられている。この板ばね部品（２８）により、リング部品２（２６）が上方向に可動しても、元の位置に復元する力を得ることができる。図１１はリング部品２（２６）とリング部品３（２７）の装着面を横から見た断面図である。リング部品２（２６）のはめ込み可動部分凸（３１）の中心にある棒をリング部品３（２７）のはめ込み可動部分凹（３２）の中心の穴にはめ込むことでリング部品２（２６）の上方向の可動を実現する。基板（３）およびリング部品１（２５）、リング部品２（２６）、リング部品３（２７）の材質については、用紙（１４）全体の重さや引っ張りに耐えられるような強度がなければならない。硬くて壊れにくく、十分な強度のある金属や樹脂、合成樹脂、プラスチック等の丈夫な材料が好ましい。また板ばね部品（２８）については、用紙（１４）による引っ張りにより曲がる必要があるが、かといって容易に曲がるようでは、とじている用紙（１４）も容易に外れてしまうので、曲げに対するある程度の抵抗・強さは必要である。板ばね部品（２８）の曲げの抵抗・強さについては、これらを踏まえて調整することが好ましい。そしてある程度の柔軟性を持ち、元の形に戻る復元力がなければならない。薄い金属の板ばねや、柔軟性のある合成樹脂等が好ましい。
【００１５】
組み立ては図１２のとおり、リング部品１（２５）およびリング部品３（２７）を基板（３）のリング基板接着部分（３３）に接着する。接着方法については、接着部分の強度を確保するため、ロウ付け、溶接等の接合部分に強度のある方法が好ましい。その後、リング部品２（２６）のはめ込み可動部分凸（３１）をリング部品３（２７）のはめ込み可動部分凹（３２）に図１１にて説明したとおりにはめ込み、板ばね部品（２８）の片方の端をリング部品２（２６）の板ばね部品挿入穴（２９）に挿入し、もう片方の端をリング部品３（２７）の板ばね部品挿入穴（３０）に挿入する。
【００１６】
使用方法は、用紙（１４）を何枚か持ち上げ、図１３のようにリング部品２（２６）の外側方向に引っ張る。この方向に引っ張ることで、図１４のようにリング部品２（２６）が上方に可動し、リング部品１（２５）とリング部品２（２６）の間に用紙着脱口（３４）ができる。そこから他の用紙（１４）の着脱が可能となる。他の用紙（１４）の着脱を終えたら引っ張っている用紙（１４）を元にもどすことにより、板ばね部品（２８）の復元力でリング部品２（２６）が元の位置に戻り、用紙着脱口（３４）が閉まり、リングにて用紙（１４）を保持できる状態に戻る。なお、リング部品１（２５）、リング部品２（２６）、リング部品３（２７）の中に用紙（１４）が一枚もとじられていない状態で、用紙（１４）をリング部品１（２５）、リング部品２（２６）、リング部品３（２７）の中にとじる場合および、リング部品１（２５）、リング部品２（２６）、リング部品３（２７）の中にとじている用紙（１４）を全て取り出す場合、リング部品２（２６）を手で上方に可動して用紙着脱口（３４）を開け、用紙（１４）を着脱する。
【実施例４】
【００１７】
実施例４の手帳やノート、バインダーの基板（３）、リング（５）の構造について説明する。図１５のとおり、構成部品の図で説明する。基板（３）およびリング部品１（３５）、リング部品２（３６）、リング部品３（３７）から成る。リング部品１（３５）、リング部品２（３６）、リング部品３（３７）は実施例１、実施例２とは異なり、中空ではない。リング部品２（３６）の端にははめ込み可動部分凸（３８）が設けられている。リング部品３（３７）の端にはめ込み可動部分凹（３９）が設けられている。図１６はリング部品２（３６）とリング部品３（３７）の装着面を横から見た断面図である。リング部品２（３６）のはめ込み可動部分凸（３８）の中心にある棒をリング部品３（３７）のはめ込み可動部分凹（３９）の中心の穴にはめ込むことでリング部品２（３６）の横方向の可動を実現する。そして、リング部品１（３５）の端には磁石（４０）が、リング部品２（３６）のはめ込み可動部分凸（３８）の反対側の端には磁石にくっ付く部品（４１）がそれぞれ設けられている。この磁石（４０）と磁石にくっ付く部品（４１）により、リング部品１（３５）とリング部品２（３６）はくっ付く方向への復元力を有する。図１７は、リング部品２（３６）のはめ込み可動部分凸（３８）側に設けられた用紙とじ孔引っ張り操作部分（４２）の断面図とこの部分を中心として、リング部品２（３６）を上から見た断面図である。リングの他の部分の断面は完全な丸であるが、この用紙とじ孔引っ張り操作部分（４２）のみ削られており、断面図のように一部斜めに成型されている。ここに用紙（１４）のとじ孔（４３）を押し付けることによって、リング部品２（３６）の横方向の可動を実現する。基板（３）およびリング部品１（３５）、リング部品２（３６）、リング部品３（３７）の材質については、用紙（１４）全体の重さや引っ張りに耐えられるような強度がなければならない。硬くて壊れにくく、十分な強度のある金属や樹脂、合成樹脂、プラスチック等の丈夫な材料が好ましい。
【００１８】
組み立ては図１８のとおり、リング部品１（３５）およびリング部品３（３７）を基板（３）のリング基板接着部分（４４）に接着する。接着方法については、接着部分の強度を確保するため、ロウ付け、溶接等の接合部分に強度のある方法が好ましい。その後、リング部品２（３６）のはめ込み可動部分凸（３８）をリング部品３（３７）のはめ込み可動部分凹（３９）に図１６にて説明したとおりにはめ込む。リング部品２（３６）を可動し、リング部品１（３５）の磁石（４０）をリング部品２（３６）の磁石にくっ付く部品（４１）にくっ付ける。
【００１９】
使用方法は、用紙（１４）を何枚か持ち上げ、図１９のようにリング部品２（３６）の用紙とじ孔引っ張り操作部分（４２）にてリングの外側方向に引っ張る。図１９の下図には、リングを上から見た断面図として用紙とじ孔引っ張り操作部分（４２）がどの方向に向いているか表している。用紙（１４）を引っ張ることで、図２０のようにリング部品２（３６）が横方向に可動する。図２０の下図の用紙とじ孔引っ張り操作部分（４２）の断面図にて分かる通り、斜めになっている側面を用紙（１４）のとじ孔（４３）で押すことにより、リング部品２（３６）の可動を実現している。結果、リング部品１（３５）とリング部品２（３６）の間に用紙着脱口（４５）ができる。そこから他の用紙（１４）の着脱が可能となる。他の用紙（１４）の着脱を終えたら引っ張っている用紙（１４）を元にもどすことにより、リング部品１（３５）の磁石（４０）がリング部品２（３６）の磁石にくっ付く部品（４１）を引き寄せることにより、リング部品２（３６）が元の位置に戻り、用紙着脱口（４５）が閉じて、リングにて用紙（１４）を保持できる状態に戻る。なお、リング部品１（３５）、リング部品２（３６）、リング部品３（３７）の中に用紙（１４）が一枚もとじられていない状態で、用紙（１４）をリング部品１（３５）、リング部品２（３６）、リング部品３（３７）の中にとじる場合および、リング部品１（３５）、リング部品２（３６）、リング部品３（３７）の中にとじている用紙（１４）を全て取り出す場合、リング部品２（３６）を手で横方向に可動して用紙着脱口（４５）を開け、用紙（１４）を着脱する。
【符号の説明】
【００２０】
１…２リングタイプバインダー
２…背表紙
３…基板
４…ハトメ
５…リング
６…リングと基板の断面図
７…実施例１のリング部品１
８…実施例１のリング部品２
９…実施例１のばね部品
１０…実施例１のリング部品２（８）の切り欠き部分
１１…実施例１のばね部品（９）の先端の栓
１２…実施例１のリング部品２（８）とばね部品（９）の接着部分
１３…実施例１のリング部品１（７）およびリング部品２（８）と基板（３）のリング基板接着部分
１４…用紙
１５…実施例１の用紙着脱口
１６…実施例２のリング部品１
１７…実施例２のリング部品２
１８…実施例２のばね部品
１９…実施例２のリング部品２（１７）の切り欠き部分
２０…実施例２のばね部品（１８）の先端の栓
２１…実施例２のばね部品（１８）の用紙保持切込み
２２…実施例２のリング部品２（１７）とばね部品（１８）の接着部分
２３…実施例２のリング部品１（１６）およびリング部品２（１７）と基板（３）のリング基板接着部分
２４…実施例２の用紙着脱口
２５…実施例３のリング部品１
２６…実施例３のリング部品２
２７…実施例３のリング部品３
２８…実施例３の板ばね部品
２９…実施例３のリング部品２（２６）の板ばね部品挿入穴
３０…実施例３のリング部品３（２７）の板ばね部品挿入穴
３１…実施例３のリング部品２（２６）のはめ込み可動部分凸
３２…実施例３のリング部品３（２７）のはめ込み可動部分凹
３３…実施例３のリング部品１（２５）およびリング部品３（２７）と基板（３）のリング基板接着部分
３４…実施例３の用紙着脱口
３５…実施例４のリング部品１
３６…実施例４のリング部品２
３７…実施例４のリング部品３
３８…実施例４のリング部品２（３６）のはめ込み可動部分凸
３９…実施例４のリング部品３（３７）のはめ込み可動部分凹
４０…実施例４のリング部品１（３５）の磁石（４０）
４１…実施例４のリング部品２（３６）の磁石にくっ付く部品
４２…実施例４のリング部品２（３６）の用紙とじ孔引っ張り操作部分
４３…実施例４で使用する用紙（１４）のとじ孔
４４…実施例４のリング部品１（３５）およびリング部品３（３７）と基板（３）のリング基板接着部分
４５…実施例４の用紙着脱口
【図１】
2020116933.tif 000003
【図２】
2020116933.tif 000004
【図３】
2020116933.tif 000005
【図４】
2020116933.tif 000006
【図５】
2020116933.tif 000007
【図６】
2020116933.tif 000008
【図７】
2020116933.tif 000009
【図８】
2020116933.tif 000010
【図９】
2020116933.tif 000011
【図１０】
2020116933.tif 000012
【図１１】
2020116933.tif 000013
【図１２】
2020116933.tif 000014
【図１３】
2020116933.tif 000015
【図１４】
2020116933.tif 000016
【図１５】
2020116933.tif 000017
【図１６】
2020116933.tif 000018
【図１７】
2020116933.tif 000019
【図１８】
2020116933.tif 000020
【図１９】
2020116933.tif 000021
【図２０】
2020116933.tif 000022